(57)【要約】【課題】解錠符号列を整列させなくても施錠のための摘み操作が行えるようする。【解決手段】摘み操作に作動軸４を応動させて往復動作させる往復動機構５と、各ダイヤル４の符号の並びが解錠符号列と一致しないとき解錠のための摘み操作を不能とするロック機構８とを備える。往復動機構５は解錠のための摘み操作に対して作動軸４が設定位置まで変位する第１の往復動作を実行させ、施錠のための摘み操作に対して作動軸４が設定位置まで変位しない第２の往復動作を実行させることが可能である。ロック機構８は施錠のための摘み操作に対して作動軸４の第２の往復動作を許容することで摘み操作を可能とし、解錠のための摘み操作に対しては解錠符号列が整列しているときには作動軸４の第１の往復動作を許容することで摘み操作を可能とし、解錠符号列が整列していないときには作動軸４の第１の往復動作を規制することで摘み操作を不能とする。【選択図】図３
2010163812.tif 000002
【特許請求の範囲】
【請求項１】
往復動可能に支持される作動軸と、作動軸上に回動操作可能に配置される複数個のダイヤルと、解錠のための摘み操作を許容する各ダイヤルの符号の並びを解錠符号列として記憶する記憶機構と、解錠および施錠のための各摘み操作に作動軸を応動させて軸方向へ往復動作させるための往復動機構と、各ダイヤルの符号の並びが解錠符号列と一致しないとき解錠のための摘み操作を不能とするロック機構とを備えた符号錠装置であって、
前記往復動機構は、解錠のための摘み操作に対しては作動軸が軸方向の設定位置まで変位する第１の往復動作を実行させ、施錠のための摘み操作に対しては作動軸が前記の設定位置まで変位しない第２の往復動作を実行させることが可能であり、
前記ロック機構は、施錠のための摘み操作に対しては作動軸の前記第２の往復動作を許容することにより摘み操作を可能とし、解錠のための摘み操作に対しては解錠符号列が整列しているときには作動軸の前記第１の往復動作を許容することにより摘み操作を可能とし、解錠符号列が整列していないときには作動軸の前記第１の往復動作を規制することにより摘み操作を不能とする符号錠装置。
【請求項２】
前記ロック機構は、作動軸の軸周面に各ダイヤルに対応させて設けられた凸子と、各ダイヤルの内周面の長さ方向に設けられ解錠符号列が整列しているとき凸子と位置が揃って凸子の進入が可能な状態となり解錠符号列が整列していないとき凸子と位置ずれして凸子の進入が不能な状態となる凸子摺動溝とを有しており、解錠符号列が整列しているとき、凸子の凸子摺動溝への進入が可能となることにより作動軸の前記第１の往復動作と前記第２の往復動作とをともに許容し、解錠符号列が整列していないとき、凸子の凸子摺動溝への進入が不能となることにより作動軸の前記第２の往復動作は許容するが前記第１の往復動作は規制するようにした請求項１に記載された符号錠装置。
【請求項３】
請求項１または２に記載された符号錠装置であって、施錠および解錠のための各摘み操作時に各ダイヤルを強制回動させて解錠符号列を整列している状態から整列していない状態へ移行させるダイヤル強制駆動機構をさらに備えている符号錠装置。
【発明の詳細な説明】
【技術分野】
【０００１】
この発明は、金庫やロッカーなどの扉の施錠に用いられ、解錠符号列を整列させたり崩したりして解錠および施錠の各状態を設定する符号錠装置に関し、特にこの発明は、装置毎に解錠符号列が固定的に設定されている符号錠装置に関する。
【背景技術】
【０００２】
従来、符号錠装置には、装置毎に解錠符号列が固定的に設定されている固定タイプのものと、使用者が解錠符号列を自在に設定できる自在タイプのものとがある。ここで、「解錠符号列」とは、解錠のための摘み操作を許容する各ダイヤルの符号の並びのことをいい、具体的には、前面プレートに設けられた窓孔に出現した各ダイヤルの符号の並びのことをいう。いずれのタイプも、施錠に際しては、各ダイヤルを回して解錠符号列を整列させた後、摘みを掴んで回すことにより、その摘み操作に掛止片が連動して相手の受け金具に係合するものである。その後、各ダイヤルを適当に回して解錠符号列を崩すことで施錠状態が得られる。
【０００３】
解錠に際しては、各ダイヤルを回して解錠符号列を整列させた後、前記と反対方向へ摘み操作する。これにより掛止片が相手の受け金具より外れ、金庫やロッカーなどの扉の開放が可能となる。固定タイプのものでは、その後、施錠のための摘み操作を行った上で解錠符号列を崩して施錠状態に戻しておく。固定タイプのものは、使用者が特定人に限られるような用途に適し、自在タイプのものは、使用者が不特定人であって常に変わるような用途に適している。
【０００４】
使用者が不特定人の場合、符号錠装置の操作に不慣れであるため、自在タイプのものには、通常、施錠および解錠のための各摘み操作に対して各ダイヤルを強制回動させて解錠符号列を強制的に崩すダイヤル強制駆動機構が組み込まれている（例えば、特許文献１参照）。これに対して、使用者が特定人の場合、符号錠装置の操作に慣れているため、固定タイプのものには、通常はダイヤル強制駆動機構が組み込まれていないものが多い。しかし、うっかり解錠符号列を崩すのを忘れることもあり得ることを想定して、ダイヤル強制駆動機構が組み込まれたものもある。
【先行技術文献】
【特許文献】
【０００５】
【特許文献１】特許第２５６４２３８号公報
【０００６】
自在タイプのものは、施錠のための摘み操作に先立ち、好みの解錠符号列を設定する作業が必要であるため、解錠操作時のみならず施錠操作時にも各ダイヤルを回して解錠符号列を整列させる必要があるが、固定タイプのものは、施錠のための摘み操作に先立って解錠符号列を設定する必要がないから、施錠操作時に各ダイヤルを回して解錠符号列を整列させることは必ずしも不可欠ではない。
【発明の概要】
【発明が解決しようとする課題】
【０００７】
しかしながら、従来の固定タイプの符号錠装置は、施錠操作時に各ダイヤルを回して解錠符号列を整列させなければ、施錠のための摘み操作が行えない構造となっているため、施錠に手数がかかり、迅速な施錠が困難であるという問題がある。
【０００８】
この発明は、上記の問題に着目してなされたもので、施錠操作時に解錠符号列を整列させなくても施錠のための摘み操作が行えるよう構成することにより、施錠に手数がかからず、迅速な施錠を可能とした符号錠装置を提供することを目的とする。
【課題を解決するための手段】
【０００９】
この発明による符号錠装置は、往復動可能に支持される作動軸と、作動軸上に回動操作可能に配置される複数個のダイヤルと、解錠のための摘み操作を許容する各ダイヤルの符号の並びを解錠符号列として記憶する記憶機構と、解錠および施錠のための各摘み操作に作動軸を応動させて軸方向へ往復動作させるための往復動機構と、各ダイヤルの符号の並びが解錠符号列と一致しないとき解錠のための摘み操作を不能とするロック機構とを備えたものである。前記往復動機構は、解錠のための摘み操作に対しては作動軸が軸方向の設定位置まで変位する第１の往復動作を実行させ、施錠のための摘み操作に対しては作動軸が前記の設定位置まで変位しない第２の往復動作を実行させることが可能である。前記ロック機構は、施錠のための摘み操作に対しては作動軸の前記第２の往復動作を許容することにより摘み操作を可能とし、解錠のための摘み操作に対しては解錠符号列が整列しているときには作動軸の前記第１の往復動作を許容することにより摘み操作を可能とし、解錠符号列が整列していないときには作動軸の前記第１の往復動作を規制することにより摘み操作を不能とする。
【００１０】
上記した構成の符号錠装置において、施錠のための摘み操作に対しては、解錠符号列の整列の有無と関係しない作動軸の往復動作、すなわち、設定位置まで変位しない第２の往復動作を許容することで摘み操作を可能とするので、解錠符号列を整列させなくても施錠のための摘み操作が可能である。したがって、施錠操作に手数がかからず、迅速な施錠が可能である。
【００１１】
この発明の好ましい実施態様においては、前記ロック機構は、作動軸の軸周面に各ダイヤルに対応させて設けられた凸子と、各ダイヤルの内周面の長さ方向に設けられ解錠符号列が整列しているとき凸子と位置が揃って凸子の進入が可能な状態となり解錠符号列が整列していないとき凸子と位置ずれして凸子の進入が不能な状態となる凸子摺動溝とを有しており、解錠符号列が整列しているとき、凸子の凸子摺動溝への進入が可能となることにより作動軸の前記第１の往復動作と前記第２の往復動作とをともに許容し、解錠符号列が整列していないとき、凸子の凸子摺動溝への進入が不能となることにより作動軸の前記第２の往復動作は許容するが前記第１の往復動作は規制するようにしている。
【００１２】
上記した実施態様の符号錠装置において、解錠符号列が整列しているとき、凸子の位置と凸子摺動溝の位置とが揃って凸子の凸子摺動溝への進入が可能な状態となるので、作動軸が設定位置まで変位する第１の往復動作と設定位置まで変位しない第２の往復動作とがともに許容され、施錠および解錠のための各摘み操作が行える。
解錠符号列が整列していないとき、凸子の位置と凸子摺動溝の位置とが位置ずれして凸子の凸子摺動溝への進入が不能な状態となるので、作動軸が設定位置まで変位しない第２の往復動作は許容されるが作動軸が設定位置まで変位する第１の往復動作は規制され、施錠のための摘み操作は行えるが、解錠のための摘み操作は行えない。
【００１３】
この発明の好ましい実施態様においては、施錠および解錠のための各摘み操作時に各ダイヤルを強制回動させて解錠符号列を整列している状態から整列していない状態へ移行させるダイヤル強制駆動機構をさらに備えている。
【００１４】
この実施態様によると、施錠時や解錠時に解錠符号列が自動的に確実に崩されるので、施錠時は確実に施錠され、解錠時は第三者に解錠符号列が不用意に憶えられるおそれがなく、防犯機能が向上する。
【発明の効果】
【００１５】
この発明によると、、施錠操作時に解錠符号列を整列させなくても施錠のための摘み操作が行えるので、施錠に手数がかからず、迅速な施錠が可能である。
【図面の簡単な説明】
【００１６】
【図１】この発明の符号錠装置の外観を示す平面図である。
【図２】この発明の符号錠装置の外観を示す側面図である。
【図３】符号錠装置の内部構造を示す開状態時の水平断面図である。
【図４】符号錠装置の内部構造を示す開状態時の垂直断面図である。
【図５】符号錠装置の内部構造を示す施錠操作時の水平断面図である。
【図６】符号錠装置の内部構造を示す施錠操作時の垂直断面図である。
【図７】符号錠装置の内部構造を示す施錠操作時の水平断面図である。
【図８】符号錠装置の内部構造を示す施錠操作時の垂直断面図である。
【図９】符号錠装置の内部構造を示す閉状態時の水平断面図である。
【図１０】符号錠装置の内部構造を示す閉状態時の垂直断面図である。
【図１１】符号錠装置の内部構造を示す解錠操作時の水平断面図である。
【図１２】符号錠装置の内部構造を示す解錠操作時の垂直断面図である。
【図１３】ダイヤル本体の側面図である。
【図１４】ダイヤル本体の正面図である。
【図１５】図１３のＡ−Ａ線に沿う断面図である。
【図１６】ロックギヤの側面図である。
【図１７】ロックギヤの正面図である。
【図１８】図１６のＢ−Ｂ線に沿う断面図である。
【図１９】ダイヤル駆動板の側面図である。
【図２０】ダイヤル駆動板の正面図である。
【図２１】図１９のＣ−Ｃ線に沿う断面図である。
【図２２】外筒の係合突起と傘歯車の係合溝との関わりを示すアクチュエータおよび傘歯車の底面図である。
【図２３】ダイヤル強制駆動機構の動作を示す作動軸、ダイヤル駆動板、およびダイヤルの側面図である。
【発明を実施するための形態】
【００１７】
図１および図２は、この発明の一実施例である符号錠装置の外観を示している。この符号錠装置は、例えば、特定人が使用する専用ロッカーの扉側に取り付けられたもので、金属板より成る掛止片１が正逆回動してロッカーの本体側に取り付けられた受け金具１０に係脱する。
【００１８】
なお、以下の説明において、掛止片１が受け金具１０に係合した状態を「閉状態」、この「閉状態」が保持されている状態を「施錠状態」、保持が解除された状態を「解錠状態」、掛止片１が受け金具１０より外れた状態を「開状態」という。また「開状態」から「閉状態」および「施錠状態」へ至る人手による操作を「施錠操作」、「閉状態」から「解錠状態」を経て「開状態」へ至る人手による操作を「解錠操作」という。
【００１９】
図示例の符号錠装置は、解錠符号列が整列状態にあることにより施錠および解錠の各摘み操作が可能となる符号錠の機構のみが組み込まれたものであるが、これに加えて、適正な鍵の挿入により施錠および解錠の各摘み操作が可能となるシリンダ錠の機構を導入することもできる。
【００２０】
図１および図２において、１４は箱状のケース体１１の上面開口を塞ぐ前面プレートであり、板面の一端部寄りに円形の開口部１２が、中央部から他端部にかけて４個の窓孔１３が、それぞれ設けられている。
開口部１２の位置には摘み２０による施錠および解錠の各操作に応動するアクチュエータ２が、また、４個の窓孔１３の位置には解錠符号列を整列させるためのダイヤルの機構が、それぞれ組み込まれている。摘み２０は開口部１２より前面プレート１４上へ突出し、各ダイヤル３のダイヤル操作面３２は各窓孔１３より前面プレート１４上に突出している。ダイヤル操作面３２には「０」〜「９」の１０個の符号３３が表されている。
【００２１】
図３および図４には、ケース体１１の内部構造が示してある。なお、同図に示された符号錠装置の状態は「開状態」であり、図３が前面プレート１４の側より見た水平断面図、図４が垂直断面図である。
【００２２】
図示例の符号錠装置は、装置毎に固定の解錠符号列が設定されている。解錠符号列は施錠および解錠のための各摘み操作に伴って崩され、全ての窓孔１３に「０」が出現して整列した状態の符号列（この符号列を「初期符号列」という。）へ移行する。上記のゼロ復帰機能を実現するために、アクチュエータ２，作動軸４，往復動機構５，回動機構６，４個のダイヤル３，解錠符号列の記憶機構７（図１３〜図１８），ロック機構８などの各構成に加えて、ダイヤル強制駆動機構９が備えられている。
【００２３】
（１）アクチュエータ２の構成
アクチュエータ２は、摘み２０による施錠および解錠の各操作に応動するもので、摘み２０を回すと、内筒２１と外筒２２とが一体に回動する。内筒２１の下端側には取付軸２３を介して前記掛止片１が取り付けてあり、内筒２１と一体に掛止片１が正逆各方向へ回動する。外筒２２の外周には、後述する回動機構６を構成する第１のかさ歯車６０が装着されている。
【００２４】
（２）作動軸４の構成
作動軸４は、アクチュエータ２と直交する方向に水平に支持されている。作動軸４の先端部は支持板１５の軸受孔（図示せず）に、基端部は軸受１７に、それぞれ往復動可能かつ正逆回動可能に支持されている。支持板１５および軸受１７はケース体１１の内部適所に配置されている。作動軸４の基端部にはフランジ部４９が設けられ、このフランジ部４９に圧縮バネ４０が連繋されている。この圧縮バネ４０のバネ圧は作動軸４に作用し、作動軸４はアクチュエータ２の方向へ常時押されている。
【００２５】
作動軸４の先端部には、後述する回動機構６を構成する第２のかさ歯車６１が作動軸４上を摺動自由に支持されている。作動軸４の先端部の先端面４１は半球面に形成されており、この先端面４１が第２のかさ歯車６１よりアクチュエータ２の側へ突き出たり引っ込んだりする。作動軸４の軸周面には、一定間隔毎に４個の凸子４２ａがそれぞれ同じ角度位置に一体突設されている。この実施例では、確実なロック状態を得るために、他の同じ角度位置にも４個の凸子４２ｂを一体突設しているが、凸子列は必ずしも２列である必要はなく、１列であってもよい。これらの凸子４２ａ，４２ｂは、後述するロック機構８とダイヤル強制駆動機構９とを構成している。
【００２６】
（３）回動機構６の構成
回動機構６は、アクチュエータ２の外筒２２の外周に装着された第１のかさ歯車６０と、作動軸４の先端部に支持された第２のかさ歯車６１とで構成されている。第１、第２の各かさ歯車６０，６１が噛み合うことによりアクチュエータ２の回動が作動軸１４へ伝達されて作動軸４が回動する。作動軸４は前記した「開状態」から「閉状態」へ、また「閉状態」から「開状態」へ、それぞれ移行する間に１回転するように各かさ歯車６０，６１の歯のピッチなどが決められている。
【００２７】
第１のかさ歯車６０が回動を開始するタイミングに対して、第２のかさ歯車６１が回動を開始するタイミングを遅らせるために、アクチュエータ２が所定の角度（この実施例では２０度）回動した時点で第１のかさ歯車６０が外筒２２と一体に回動を開始し、これと連動して第２の傘歯車６１の回動を開始するようにしている。この遅延動作を実現するために、図２２（１）に示すように、アクチュエータ２の外筒２２の外周に所定の角度αにわたる係合突起２５を形成し、一方、図２２（２）に示すように、第１の傘歯車６０の下面に前記の角度αより大きな角度βにわたる係合溝６２を形成し、係合突起２５に係合溝６２が係合するようにして外筒２２の外周に第１の傘歯車６０を装着している。このように構成することで、第１の傘歯車６０は、アクチュエータ２が所定の角度（β―α）だけ空転した後に回動を開始する。
この遅延動作は、まず、作動軸４を回動させずに軸方向へ移動させ、引き続き、作動軸４を回動させるためのもので、後記するロック機構８やダイヤル強制駆動機構９の動作と関わっている。
【００２８】
（４）往復動機構５の構成
往復動機構５は、アクチュエータ２の作動に作動軸４を応動させて所定のタイミングで往復動作させるためのもので、外筒２２の外周面に所定の角度だけ隔てた位置に形成された第１、第２の各凹部５０ａ，５０ｂと、外筒２２の内部の一方の凹部５０ｂの高さ位置に軸回動可能に設けられた押爪５１と、押爪５１の一端部が外筒面２２の外周面より突き出る方向へ軸回動するように付勢するバネ（図示せず）とが上記の往復動作に関わっている。押爪５１は板状体であり、外筒２２の外周面より突き出る側の端面には作動軸４の先端面４１を押圧するための押圧面５２ａが形成されている。押爪５１の一方の側面は外筒２２の外周面と一致する曲面５２ｂに形成され、押爪５１が押されて引っ込んだ状態になったとき曲面５２ｂと外筒２２の外周面とは面が揃う。
【００２９】
図３および図４に示す「開状態」のとき、作動軸４は圧縮バネ４０のバネ力によりアクチュエータ２に向けて押され、作動軸４の先端面４１が外筒２２の第１の凹部５０ａへ嵌まり込んでいる。この嵌入状態のとき、作動軸４はアクチュエータ２の側へ最も変位した位置にあり、以下、この作動軸４の位置を「第１設定位置」という。
【００３０】
図５および図６は、アクチュエータ２が「開状態」から「閉状態」へ約２０度回動したときの状態を示し、作動軸４の先端面４１は第１の凹部５１ａから外筒２２の外周面に乗り上がっている。この乗り上がった高さだけ作動軸４はアクチュエータ２と反対方向へ押されて変位する。このときの作動軸４の位置は、前記の「第１設定位置」と後述する「第２設定位置」との中間にあり、以下、この作動軸４の位置を「第３設定位置」という。
【００３１】
図７および図８は、アクチュエータ２が「開状態」から「閉状態」へ約１２０度回動したときの状態を示しており、作動軸４の先端面４１は外筒２２の外周面から押爪５１の側面の曲面５２ｂ上に乗り移っている。押爪５１は当初、押圧面５２ａが突き出た状態になっているが（図３および図５参照）、作動軸４の先端面４１が押爪５１の位置に至ったとき、押爪５１が押し込まれることで、押爪５１の側面の曲面５２ｂが外筒２２の外周面と面が揃う。
【００３２】
図９および図１０は、アクチュエータ２が「開状態」から「閉状態」へ約１４０度回動したときの状態、すなわち、「閉状態」を示している。この状態では、作動軸４は圧縮バネ４０のバネ力を受けてその先端面４１が外筒２２の第２の凹部５０ｂへ嵌まり込んでいる。この嵌入状態のとき、作動軸４はアクチュエータ２の側へ最も変位した「第１設定位置」になっている。
【００３３】
図１１および図１２は、アクチュエータ２が「閉状態」から「開状態」へ約１０度回動したときの状態を示しており、作動軸４の先端面４１は第２の凹部５０ｂより脱出するとともに、押爪５１の押圧面５２ａによって圧縮バネ４０のばね圧に抗して押圧されている。この押爪５１による押圧により作動軸４はアクチュエータ２と反対の方向へ最も変位した位置にあり、以下、この作動軸４の位置を「第２設定位置」という。
なお、アクチュエータ２が「閉状態」から「開状態」へ約２０度回動したときの状態は図７および図８に示したものと同じであり、さらに、約１４０度回動したときの状態は図５および図６に示したものと同じであり、ここでは図示並びに説明を省略する。
【００３４】
上記したように、施錠のための摘み操作によりアクチュエータ２が「開状態」から「閉状態」へ回動するとき、作動軸は「第１設定位置」と「第３設定位置」との間を往復動作するもので、以下、この小さな距離の往復動作を「第２の往復動作」という。
また、解錠のための摘み操作によりアクチュエータ２が「閉状態」から「開状態」へ回動するとき、作動軸は「第１設定位置」と「第２設定位置」との間を往復動作するもので、以下、この大きな距離の往復動作を「第１の往復動作」という。
【００３５】
（５）ダイヤル３の構成
４個の各ダイヤル３は、ダイヤル本体３０の内周面にロックギヤ３１が噛み合わされて構成されており、作動軸４上の各仕切板１９の内側位置に回動可能に支持されている。ダイヤル本体３０の外周面には、図１３〜図１５に示すように、等角度位置毎に「０」〜「９」の符号３３が表され、ダイヤル操作面３２が構成されている。ダイヤル本体３０にはボス部３４が突設され、ボス部３４の外周には符号数に相当する数の谷部３５が形成されている。各谷部３５に図示しないばね板部材が順次係合し、これにより、ダイヤル３が間欠送りされる。
【００３６】
（６）解錠符号列の記憶機構７の構成
解錠符号列の記憶機構７は、予め決定された解錠符号列を固定的に記憶するための機構であり、各ダイヤル３のダイヤル本体３０とロックギヤ３１との間に形成される。なお、「解錠符号列」とは、解錠のための摘み操作を許容する各ダイヤル３の符号３３の並び、具体的には、前記の各窓孔１３に出現した各ダイヤル３の符号３３の並びのことをいうが、以下の説明では、解錠符号列を構成する各ダイヤル３の符号を、単に「解錠符号」という場合がある。
【００３７】
図示例の記憶機構７は、図１３および図１５に示すように、各ダイヤル３のダイヤル本体３０の内周面に形成された溝列７０と、図１６〜図１８に示すように、ロックギヤ３１の一端部の外周面に形成された突子列７１とで構成されている。ダイヤル本体３０の溝列７０は、符号数に一致する数の嵌合溝７４を等角度間隔で一周配置して成り、一方、ロックギヤ３１の突子列７１は、いずれの嵌合溝７４とも嵌合可能な嵌合突子７５を等角度間隔で符号数だけ一周配置して成る。突子列７１と溝列７０との噛み合い角度位置、すなわち、ロックギヤ３１に対するダイヤル本体３０の嵌合角度位置は符号数に一致する数だけ存在するので、両者の嵌合角度位置に応じて解錠符号を１０とおり記憶することが可能である。
【００３８】
（７）ロック機構８の構成
ロック機構８は、各窓孔１３に現れる各ダイヤル３の符号３３がすべて解錠符号であるとき、すなわち、解錠符号列が整列しているとき、アクチュエータ２の作動を許容して解錠のための摘み操作を可能とし、一方、いずれかダイヤル３の符号３３が解錠符号でないとき、すなわち、解錠符号列が整列していないとき、アクチュエータ２の作動を規制して解錠のための摘み操作を不能とするものである。
【００３９】
この実施例のロック機構８は、作動軸４の軸周面に各ダイヤル３に対応させて突設された１列につき４個の各凸子４２ａ，４２ｂと、各ロックギヤ３１の内周面の長さ方向に設けられ各凸子４２ａ，４２ｂが摺動して出入りすることが可能な凸子摺動溝８１ａ，８１ｂ（図１６）とで構成されている。
解錠符号列が整列しているとき、凸子４２ａ，４２ｂの位置と凸子摺動溝８１ａ，８１ｂの位置とが揃い、凸子４２ａ，４２ｂの凸子摺動溝８１ａ，８１ｂへの進入が可能な状態となる。これにより作動軸４は「第２設定位置」まで変位する「第１の往復動作」が許容されるので、解錠のための摘み操作は可能である。
解錠符号列が整列していないとき、凸子４２ａ，４２ｂの位置と凸子摺動溝８１ａ，８１ｂの位置とが位置ずれし、凸子４２ａ，４２ｂの凸子摺動溝８１ａ，８１ｂへの進入の進入が不能な状態となる。これにより作動軸４は「第２設定位置」まで変位することができず、「第１の往復動作」は規制されるので、解錠のための摘み操作は不能となる。
【００４０】
作動軸４が前記した「第３設定位置」にあるとき、各凸子４２ａ，４２ｂは各凸子摺動溝８１ａ，８１ｂに関わらない位置にあるので、作動軸４が「第３設定位置」までしか変位しない「第２の往復動作」については、常に許容されるので、解錠符号列の整列の有無とはかかわらず、施錠のための摘み操作は可能である。
【００４１】
（８）ダイヤル強制駆動機構９の構成
この実施例のダイヤル強制駆動機構９は、施錠のための摘み操作を行って「開状態」から「閉状態」へ移行させるとき、並んでいる任意の符号列を崩して各ダイヤル３を決められた角度位置まで回動させ、一方、解錠符号列を整列させた後、解錠のための摘み操作を行って「閉状態」から「開状態」へ移行させるとき、整列状態の解錠符号列を崩して各ダイヤル３を決められた角度位置まで回動させるものである。いずれの場合も、各ダイヤル３の窓孔１３に「０」が出現するような角度位置に各ダイヤル３を強制回動させることにより、「０」が４個並んだ初期符号列の整列状態へ移行させているが、これに限らず、他の決められた符号が各窓孔１３に出現するように構成してもよい。
【００４２】
この実施例のダイヤル強制駆動機構９は、作動軸４上に各ダイヤル３に対応させて配置されるダイヤル駆動板９０と、各ダイヤル駆動板９０を対応する各ダイヤル３に近づけたり遠ざけたりして変位させる変位機構１００とで構成されている。各ダイヤル駆動板９０は、図１９〜図２１に示すように、内周面に作動軸４と一体回動が可能なように作動軸４の各凸子４２ａ，４２ｂが係合する切欠溝９１ａ，９１ｂが形成されている。各切欠溝９１ａ，９１ｂは、凸子４２ａ，４２ｂと係合した状態のとき、３６０度／ｎ（ただし、ｎは符号数）に相当する角度（この実施例では、３６０度／１０＝３６度）の遊びが設定してあり、これにより作動軸４が３６０度回動するのに対して、ダイヤル駆動板９０が（３６０度−３６０度／ｎ）に相当する角度（この実施例では、３６０度−３６０度／１０＝３２４度）だけ回動するようになっている。すなわち、「０」が４個並んだ初期符号列の整列状態へ移行させるために、各ダイヤル３を最大９符号分だけ強制回動させることが可能である。
【００４３】
各ダイヤル駆動板９０の外周と各ダイヤル駆動板９０に対応するダイヤル３の内周との間には、各ダイヤル駆動板９０が各ダイヤル３の方向へ近づいた状態のとき、ダイヤル駆動板９０が決められた角度（この実施例では３２４度）だけ回動する間に互いに引っ掛かる部分を設け、施錠および解錠の各摘み操作時に各ダイヤル３を解錠符号列の整列状態から他の所定の符号列の整列状態へ移行させるようにしている。
この実施例では、各ダイヤル駆動板９０の外周に突片９２が形成され、各ダイヤル３のダイヤル本体３０の内周に突片９２が摺動する摺動溝９３が形成されるとともに、摺動溝９３内の所定の角度位置に突片９２が引っ掛かる凸部９４が形成されている。
【００４４】
前記変位機構１００は、作動軸４が「第１設定位置」にあるとき、作動軸４の基端部に設けたフランジ部４９により一端（図面では右端）のダイヤル３のロックギヤ３１を押し、これと連なった他のロックギヤ３１と各ダイヤル駆動板９０とをアクチュエータ２の側へ変位させることにより各ダイヤル駆動板９０を対応するダイヤル３から遠ざけ、つぎに、作動軸４が「第３設定位置」に至ったとき、作動軸４の先端側に配備した復帰バネ１０１のバネ圧により各ダイヤル駆動板９０と各ロックギヤ３１とを復帰動作させてアクチュエータ２と反対方向へ変位させることにより各ダイヤル駆動板９０を対応するダイヤル３に近づけるものである。
なお、各ロックギヤ３１は変位しても、その変位量はわずかであるから、ダイヤル本体３０との噛み合いが維持され、解錠符号の記憶は保持されている。
【００４５】
作動軸４は、前記した「開状態」と「閉状態」との間を移行する間にちょうど１回転するもので、作動軸４の凸子４２ａ，４２ｂは「開状態」のときと「閉状態」のときとは同じ角度位置にある。
図２３（１）〜（４）は、作動軸４とダイヤル駆動板９０とダイヤル３との関係を示している。この実施例では、図２３（１）の「開状態」のときと図２３（４）の「閉状態」のときとは、一方の凸子４２ａが所定の角度位置θ、すなわち、前面プレート１４に対して９０度の角度位置に位置している。
【００４６】
例えば、施錠のための摘み操作を行う場合、図２３（１）の「開状態」のとき、ダイヤル駆動板９０の突片９２は前記角度位置θにあり、ダイヤル３の凸部９４は窓孔１３に出現する符号に応じた角度位置にある。この場合、ダイヤル駆動板９０はダイヤル３から遠ざかって係わり合っていない。
【００４７】
作動軸４が回動すると、当初は作動軸４の凸子４２ａ，４２ｂはダイヤル駆動板９０の係合溝９１ａ，９１ｂ内を摺動するので、１符号分だけ空転し、ダイヤル駆動板９０は追随しない（図２３（２）参照）。このとき、各ダイヤル駆動板９０は各ダイヤル３に近づいており、突片９２は摺動溝９３内に位置する。
【００４８】
作動軸４とダイヤル駆動板９０とが適当な角度だけ一体回動すると、ダイヤル駆動板９０の突片９２がダイヤル３の凸部９４を引っ掛け（図２３（３）参照）、それ以後はダイヤル３を強制回動させる。
作動軸４が１回転すると（図２３（４）参照）、ダイヤル３は窓孔１３に出現するダイヤル操作面３２の符号３３が「０」となる位置で回動が停止する。
解錠のための摘み操作を行う場合も、上記と同様のゼロ復帰動作を行うもので、ここでは説明を省略する。
【００４９】
つぎに、上記した構成の符号錠装置について、施錠操作時および解錠操作時の一連の動作を詳細に説明する。
まず、施錠操作時の動作について説明すると、符号錠装置が図３，４に示された「開状態」にあるとき、作動軸４は、先端面４１が外筒２２の第１の凹部５０ａに嵌まってアクチュエータ２の側へ最も変位した状態にある（第１設定位置）。この「第１設定位置」では、各ダイヤル３は作動軸４と係わりが切れた回動可能な状態、すなわち、作動軸４の凸子４２ａ，４２ｂが各ダイヤル３のロックギヤ３１の凸子摺動溝８１ａ，８１ｂより脱出した状態にある。また、各ダイヤル３は各ダイヤル駆動板９０と係わりが切れた状態にある。
この「開状態」のとき、ダイヤル駆動板９０の突片９２は所定の角度位置θにあり、ダイヤル３の凸部９４は窓孔１３に出現する符号に応じた角度位置にある（図２３（１）参照）。
【００５０】
つぎに、摘み２０を回すと、アクチュエータ２が回動し、作動軸４の先端面４１が外筒２２の外面に乗り上がって作動軸４は図５，６に示す「第３設定位置」へ移行し、さらに摘み２０を回すと、作動軸４の先端面４１が外筒２２の外面から押爪５の曲面５２ｂへ乗り移って作動軸４は図７，８に示す「第３設定位置」を維持する。
この「第３設定位置」では、作動軸４の凸子４２ａ，４２ｂは各ダイヤル３のロックギヤ３１の凸子摺動溝８１ａ，８１ｂより脱出した状態にあり、作動軸４と各ダイヤル３との係わりが切れている。一方、各ダイヤル操作板９０は各ダイヤル３に近づいて係わっている。
さらに、回動機構６の第１の傘歯車６０は、これ以後は外筒２２と一体回動して第２の傘歯車６１の回動を開始させるので、アクチュエータ２の回動が作動軸４に伝達されて作動軸４が回動する。
【００５１】
作動軸４が回動すると、当初は作動軸４の凸子４２ａ，４２ｂはダイヤル駆動板９０の内周の係合溝９１ａ，９１ｂ（図１９参照）を摺動するので、作動軸４はダイヤル駆動板９０に対して１符号分だけ空転し、各ダイヤル駆動板９０は追随しないが（図２３（２）参照）、それ以後は、各ダイヤル駆動板９０は作動軸４と一体回動する。その結果、各ダイヤル駆動板９０の突片９２は、対応するダイヤル３について、符号に応じた設定角度位置でダイヤル３の凸部９４を引っ掛け（図２３（３）参照）、ダイヤル３を初期符号列の「０」になるまで強制回動させ、各ダイヤル３のロックギヤ３１の凸子摺動溝８１ａ，８１ｂは凸子４２ａ，４２ｂに対して位置ずれする。
なお、施錠のための摘み操作を行う際に、初期符号列が整列している状態であれば、摘み操作によってダイヤル３が回動することはなく、初期符号列が整列している状態がそのまま保たれる。
【００５２】
作動軸４が一回転してダイヤル駆動板９０の突片８２が前記角度位置θより１符号分だけ手前位置に至ったとき（図２３（４）参照）、各窓孔１３には各ダイヤル３の符号「０」が出現して初期符号列が整列し、図９および図１０に示された「閉状態」となる。このとき、作動軸４は先端面４１が外筒２２の第２の凹部５０ｂに嵌り込み、アクチュエータ７の方へ変位して「第１設定位置」になっており、作動軸４の各凸子４２ａ，４２ｂとダイヤル３のロックギヤ３１の凸子摺動溝８１ａ，８１ｂとが位置ずれし、ロック状態が形成されている。
【００５３】
以上のように、施錠のための摘み操作に対しては、解錠符号列の整列の有無と関係しない作動軸４の往復動作、すなわち、「第３設定位置」までは変位するが「第２設定位置」までは変位しない第２の往復動作を許容することで摘み操作を可能としているので、解錠符号列を整列させなくても施錠のための摘み操作が可能であり、施錠操作に手数がかからず、迅速な施錠が可能である。
【００５４】
つぎに、解錠操作時の動作について説明すると、符号錠装置が図９および図１０に示された「閉状態」にあるとき、作動軸４は、先端面４１が外筒２２の第２の凹部５０ｂに嵌まってアクチュエータ２の側へ最も変位した状態にある（第１設定位置）。この「第１設定位置」では、各ダイヤル３は作動軸４と係わりが切れた回動可能な状態、すなわち、作動軸４の凸子４２ａ，４２ｂが各ダイヤル３のロックギヤ３１の凸子摺動溝８１ａ，８１ｂより脱出した状態にある。また、各ダイヤル３は各ダイヤル駆動板９０と係わりが切れた状態にあるので、各ダイヤル３を回して解錠符号列を揃えることが可能である。
【００５５】
いま、各ダイヤル３のダイヤル操作面３２を回動操作して、解錠符号列を整列させると、作動軸４の凸子４２ａ，４２ｂの位置と各ダイヤル３のロックギヤ３１の凸子摺動溝８１ａ，８１ｂの位置とが揃い、解錠のための摘み操作が可能な状態に設定される。
【００５６】
つぎに、摘み２０を回すと、押爪５１の押圧面５２ａが作動軸４の先端面４１をアクチュエータ２と反対方向へ押圧する結果、作動軸４は図１１および図１２に示す「第２設定位置」へ移行する。
さらに、アクチュエータ２が回動すると、作動軸４の先端面４１は押爪５１ｂの押圧面５２ａによる押圧より解放され、作動軸４の先端面４１が押爪５１を押し返して押爪５１の側面の曲面５２ｂ上に乗り上がった後（図７、８参照）、外筒２２の外面に乗り移り（図５、６参照）、作動軸４は「第３設定位置」へ移行する。
【００５７】
この「第３設定位置」では、作動軸４の凸子４２ａ，４２ｂは各ダイヤル３のロックギヤ３１の凸子摺動溝８１ａ，８１ｂより脱出した状態にある。また、各ダイヤル駆動板９０は各ダイヤル３に近づいて係わっている。
さらに、回動機構６の第１の傘歯車６０は、これ以後は外筒２２と一体回動して第２の傘歯車６１の回動を開始させるので、アクチュエータ２の回動が作動軸４に伝達されて作動軸４が回動する。
【００５８】
作動軸４が回動すると、当初は作動軸４の凸子４２ａ，４２ｂはダイヤル駆動板９０の係合溝９１ａ，９１ｂを摺動するので、作動軸４はダイヤル駆動板９０に対して１符号分だけ空転し、各ダイヤル駆動板９０は追随しないが、それ以後は、各ダイヤル駆動板９０は作動軸４と一体回動し、各ダイヤル駆動板９０の突片９２は、対応するダイヤル３について、解錠符号に応じた設定角度位置でダイヤル３の凸部９４を引っ掛け、ダイヤル３を初期符号列の「０」になるまで強制回動させる。これにより各ダイヤル３のロックギヤ３１の凸子摺動溝８１ａ，８１ｂは対応する凸子４２ａ，４２ｂに対して位置ずれする。
【００５９】
作動軸４が一回転してダイヤル駆動板９０の突片９２が所定の角度位置θに至ったとき（図２３（１）参照）、各窓孔１３には各ダイヤル３の符号「０」が出現し、図３および図４に示された「開状態」となる。このとき、作動軸４は先端面４１が外筒２２の第１の凹部５０ａに嵌り込み、アクチュエータ７の方へ変位して「第１設定位置」になっており、作動軸４の各凸子４２ａ，４２ｂとダイヤル３のロックギヤ３１の凸子摺動溝８１ａ，８１ｂとが位置ずれし、ロック状態と同じ状態となっている。
【符号の説明】
【００６０】
２    アクチュエータ
３    ダイヤル
４    作動軸
５    往復動機構
７    解錠符号列の記憶機構
８    ロック機構
９    ダイヤル強制駆動機構
４２ａ，４２ｂ  凸子
８１ａ，８１ｂ  凸子摺動溝
【図１】
2010163812.tif 000003
【図２】
2010163812.tif 000004
【図３】
2010163812.tif 000005
【図４】
2010163812.tif 000006
【図５】
2010163812.tif 000007
【図６】
2010163812.tif 000008
【図７】
2010163812.tif 000009
【図８】
2010163812.tif 000010
【図９】
2010163812.tif 000011
【図１０】
2010163812.tif 000012
【図１１】
2010163812.tif 000013
【図１２】
2010163812.tif 000014
【図１３】
2010163812.tif 000015
【図１４】
2010163812.tif 000016
【図１５】
2010163812.tif 000017
【図１６】
2010163812.tif 000018
【図１７】
2010163812.tif 000019
【図１８】
2010163812.tif 000020
【図１９】
2010163812.tif 000021
【図２０】
2010163812.tif 000022
【図２１】
2010163812.tif 000023
【図２２】
2010163812.tif 000024
【図２３】
2010163812.tif 000025